(57)【要約】【課題】  本発明は、紙、プラスチック等のシートを折り畳み、組み合わせることによって形成され、複数本の被包装物を安定に収納することができ、かつ機能、形態、美観のデザインにおいても優れた包装箱を提供することを課題とする。【解決手段】  上記の目的を達成するための第１の発明は、底面に平行な断面形状が等辺の平行四辺形である筒状に形成される周壁を設けた厚紙、プラスチック等のシート製の包装箱であって、かつ被包装物を内部に固定収容する包装箱である。【選択図】図１
2010280443.tif 000002
【特許請求の範囲】
【請求項１】
底面に平行な断面形状が等辺の平行四辺形である筒状に形成される周壁を設けた厚紙、プラスチック等のシート製の包装箱であって、かつ被包装物を内部に固定収容する包装箱。
【請求項２】
対角にある稜線で連結することで複数を一列に連設させ、かつ前記稜線連続部にて自在に屈曲転回することで隣接する側面同士を対面密接させることが可能な請求項１に記載の包装箱を基本単位として構成する連結集合包装箱。
【請求項３】
請求項２に記載の連結集合包装箱であって、屈曲転回させることで形成される多角形柱状の立体となる連結集合包装箱。
【請求項４】
連続する側面にイラスト、写真、テキストなどで構成される平面グラフィックを配置し、屈曲転回させることで形成される多角形柱状の立体の外側面全周に前記平面グラフィックを露出する請求項２に記載の連結集合包装箱。
【請求項５】
偏平状に折り畳むことが可能であり、請求項４記載の平面グラフィックが表裏の２面に露出する請求項２記載の連結集合包装箱。
【発明の詳細な説明】
【技術分野】
【０００１】  本発明は、破損しやすいガラス、陶器、樹脂類で形成された瓶類に代表される被包装物を複数、安定に収納し、被包装物の輸送等において使用される包装箱に関する。
【背景技術】
【０００２】  現在普及する包装箱は、直方体に代表される筒状に形成される形状であり、被包装物である瓶類を１本内部に固定収容することから破損防止効果は高い。複数本の瓶類を収納する場合、包装箱は、１箱に中仕切を入れる、あるいはまたコスト面では劣るが瓶１本につき１箱の包装箱で個別包装したものを連結、または結束させるなどして作成されてきた。従来、収容箱はこうした破損防止のための幾何学的制約が大きく、複数本の瓶類を収納する場合、瓶１本につき１箱の包装箱で個別包装したものを連結させて作成する包装箱は、イラスト、写真、テキストなどで構成される平面グラフィックにより美観を高めることができたものの、機能と形態が結びついた外観について工夫をこらすことは難しいという問題があった。
【先行技術文献】
【特許文献】
【０００３】
【特許文献１】特許公開２００８−１０５７１７
【特許文献２】特許公開平７−２８５５３４
【０００４】  特許文献１では、６本の瓶類を収容する包装箱が開示されている。この包装箱は、被包装物の安定な収納と固定性を提供し、かつ組立時の作業性にも優れた包装箱ことができるものである。複数本の瓶類を収容する包装箱はこの包装箱に代表されるものがこれまで多数提供され普及しているが、多くは直方体の筒状に形成される形状であり、概観デザインに工夫をこらす余地はあまりなかった。【０００５】  特許文献２では、六角柱状の筒状に形成される形状を特徴とする包装箱が開示されている。この包装箱は、従来の六角柱状の包装箱のの底部をワンタッチで形成でき、底抜けのしない丈夫さを備え、かつ、製作するに必要なシート類を最小限に抑えるものである。この収容箱は、６本の瓶類を収容可能であり、従来の直方体ではない点でデザイン面においてやや優れるものであるが、機能面では特許文献１に類するものである。【０００６】  近年、店頭で商品を訴求し、印象付けを行い、実際に購買に結びつける販売効果を奏するような構造の包装用箱が要求されているが、機能と形態が結びついた外観について工夫をこらすことは難しいという問題があった。
【発明の概要】
【発明が解決しようとする課題】
【０００７】  本発明は、上記の課題に鑑みてなされたものであって厚紙、プラスチック等のシートを折り畳み、組み合わせることによって形成され、複数本の被包装物を安定に収納することができ、かつ機能、形態、美観のデザインにおいても優れた包装箱を提供することを課題とする。
【課題を解決するための手段】
【０００８】  上記の目的を達成するための第１の発明は、底面に平行な断面形状が等辺の平行四辺形である筒状に形成される周壁を設けた厚紙、プラスチック等のシート製の包装箱であって、かつ被包装物を内部に固定収容する包装箱である。【０００９】  第２の発明は、第１の発明である包装箱Ａの対角にある稜線１ｂと連設する包装箱Ｂの稜線１ａとを稜線連結部２を介して連結させ、複数についても同様の連結を繰り返すことで一列に連設させ、かつ前記稜線連結部にて自在に屈曲転回することで隣接する側面同士を対面密接させることが可能な連結集合包装箱である。【００１０】  前期稜線連結部２は、第１の発明である包装箱Ａおよび包装箱Ｂを連接し、かつ包装箱を自在に屈曲転回させ隣接する側面同士を密接するため、稜線１ａと稜線１ｂのあいだに必要な幅を設ける。【００１１】  第３の発明は、第２の発明において、稜線連続部２を介して連設される包装箱を自在に屈曲転回することで隣接する側面同士を密接させて形成される底面に平行な断面形状が多角形である多角形柱状の立体となる結集合包装箱である。【００１２】  第４の発明は、第２および第３の発明において、連続する側面３および側面４にイラスト、写真、テキストなどで構成される平面グラフィックを配置し、屈曲転回させることで形成される多角形柱状の立体の外側面全周に前記平面グラフィックを露出する連結集合包装箱である。【００１３】  第５の発明は、第１の発明、第２の発明、第３の発明、第４の発明のいずれについても、偏平状に折り畳むことが可能であり、平面グラフィックが表裏の２面に露出する連結集合包装箱である。
【発明の効果】
【００１４】  本発明は、一実施の形態で示す六角柱に代表される多角柱を、底面に平行な断面形状が等辺の平行四辺形である筒状に形成される周壁を設けた厚紙、プラスチック等のシート製の包装箱であって、かつ被包装物を内部に固定収容する包装箱を複数連続させることで構成する連結集合包装箱であり、複数本の被包装物を安定に収納することができ、かつ機能、形態、美観のデザインにおいても優れた包装箱を提供することができる。独立した包装箱は連続部にて自在に屈曲転回することができ、形成される多角形柱の外側面全周に、イラスト、写真、テキストなどで構成される平面グラフィックを露出することができるため、店頭で商品を訴求し、印象付けを行い、実際に購買に結びつける販売効果を奏する。また、偏平状に折り畳むことが可能なため、保存、運搬にも適する。【００１５】  さらに、本発明は展開図からも理解できるように、必要最小限の厚紙、プラスチック等のシートで製作することができる。
【図面の簡単な説明】
【００１６】
【図１】本発明の一実施の形態
【図２】本発明の一実施の形態
【図３】本発明の一実施の形態
【図４】本発明の一実施の形態
【図５】本発明の連結集合包装箱を構成するシートの展開平面図の一例
【図６】本発明の連結集合包装箱の底部の構成例
【発明を実施するための形態】
【００１７】  以下図に基いて本発明の実施の形態の説明をする。図はいずれも本発明の一実施の形態の説明用の図である。
【００１８】  図１は、本発明の一実施の形態を示すものである。この連結集合包装箱は、底面に平行な断面形状が等辺の平行四辺形である筒状に形成される周壁を設けた厚紙、プラスチック等のシート製の包装箱であって、かつ被包装物である瓶を１本内部に固定収容する包装箱Ａ、Ｂ、Ｃを連設したものである。包装箱ＡとＢは、それぞれの稜線１ａと１ｂのあいだに設ける稜線連結部２を介して連結し、包装箱ＢとＣも同様に連結する。
【００１９】  本発明の連結集合包装箱は、前記のとおり底面に平行な断面形状が等辺の平行四辺形である筒状に形成される周壁を設けた厚紙、プラスチック等のシート製の包装箱を基本単位とする。後述するとおり図１に示す実施例は、包装箱Ａ、Ｂ、Ｃを稜線連続部２の稜線にて屈曲転回することで隣接する側面同士を対面密接すると六角柱状になるので、個々の包装箱の底面に平行な断面形状が等辺の平行四辺形は内角が６０度および１２０度となる。
【００２０】  手提げ部５は包装箱の連続する側面４に手提げ穴６を６つ設ける。手提げ穴６は、包装箱Ａ、Ｂ、Ｃを稜線連続部２の稜線にて屈曲転回することで隣接する側面同士を対面密接するとき、対向する穴同士が一致貫通するように穿孔する。
【００２１】  上蓋７は包装箱内側上部に嵌入することで瓶を安定保持する。上蓋７の形状は底面に平行な断面形状が等辺の平行四辺形であり、嵌入することで収納箱の形状を安定保持すると同時に変形による破損を防止する。上蓋７には被包装物である瓶上部の断面形状にあわせた穴８を穿孔すると同時に、指でつまんで開閉するための耳９を設ける。上蓋７は包装箱内側上部に嵌入するため、包装箱との連続部１０が包装箱内側と干渉するが、切込部１１を設けることで干渉による破損を回避する。図２は包装箱の上蓋７の開閉時の様子を示すものである。
【００２２】  連結集合包装箱には連続する側面３および４が形成される。図１のように連設された包装箱が３つ１列に展開するとき、この２つの側面はそれぞれ全体を見渡すことが可能になる。従来の直角柱状の包装箱においては連続する側面のうち２面のみ見ることが可能で、全体を見渡すためには側面のいずれかの位置において切開する必要があったが、本発明においては２つある側面のうちいずれか一方の全体を見渡すことが可能となる。このため、連続する側面にイラスト、写真、テキストなどで構成される平面グラフィックを配置することで美観を伴うデザインを行うことが可能であるので、包装箱の機能と形態が結びついた外観と一体化させ展示効果の向上を図る。
【００２３】  綴じ紐１２は連設された包装箱の両端外側の稜線上に設けられ、連結集合包装箱が六角柱状の集合配置された状態において結わえて包装箱を固定するものである。
【００２４】  図３は、連結集合包装箱の稜線連結部において屈曲転回させ、図１で示す側面３が外周に露出するように側面４の隣接する側面同士を対面密接させ、六角柱状に集合配置させた状態を示す。このとき手提げ部５は六角柱の稜線と中心線を結ぶ面上にあり、手提げ穴は中心線よりに配置され、指を通して保持するに適切な位置に設けられる。
連設された包装箱の両端外側の稜線上に設けられた綴じ紐１２は、連結集合包装箱が六角柱状の集合配置された状態において対面することになるので、図３に示すように結わえて包装箱を固定する。
【００２５】  図４は、連結集合包装箱の稜線連結部において屈曲転回させ、図１で示す側面４が外周に露出するように側面３の隣接する側面同士を対面密接させ、六角柱状に集合配置させた状態を示す。このとき手提げ部５は六角柱の外周側面上にあり、指を通して保持すのに用いられる。連設された包装箱の両端外側の稜線上に設けられた綴じ紐１２は、連結集合包装箱が六角柱状の集合配置された状態において対面することになるので、図４に示すように結わえて包装箱を固定する。
【００２６】  綴じ紐１２は図３および図４に示したように、連結集合包装箱を六角柱状の集合配置する際に側面３または側面４のいずれかが外周側面として露出しても必ず外周面に現れ結わえつけることが可能であり、特別な機構を設けて外観のデザインを損なうことがない、本発明の連結集合包装箱における優れた固定法である。
【００２７】  図５は、図１において例示した実施形態である本発明の連結集合包装箱を構成するシートの展開平面図の一例である。図１に示した実施形態の場合、［ａ］を３枚、［ｂ］を１枚、それぞれ折り畳み、組み合わせることによって形成する。［ａ］の接着部１３ａを［ｂ］の接着部１４ｂに、［ａ］の接着部１３ｂを［ｂ］の接着部１４ａに、１３ａおよび１３ｂが包装箱の内側に位置するように、それぞれ接着することで図１の包装箱Ａの側面を形成する。包装箱ＢおよびＣについても同様に形成する。
【００２８】  図６は、図１において例示した実施形態である本発明の連結集合包装箱の底部の構成例である。図５のシートにおいて［ａ］の底部構成部材１７の接着部１５ａを［ｂ］の底部構成部材２０の接着部１６ｂに、［ａ］の底部構成部材１８の接着部１５ｂを［ｂ］の底部構成部材１９の接着部１６ａに、１７および１９が包装箱の外側に位置するように、それぞれ接着することで図１の包装箱Ａの底部を形成する。
【００２９】  底部構成部材１７および２０、底部構成部材１８および１９を接着により一体形成された底部を対にして、底部差込部材２１および底部差込部材２２がそれぞれ包装箱内部に位置するように重ね合わせることで、包装箱Ａの底部を形成する。包装箱ＢおよびＣについても同様に底部を形成する。
【００３０】  本発明の連結集合包装箱を折りたたむ際は、底部構成部材１７および２０、底部構成部材１８および１９の連結部において平行四辺形の対角線の長辺を外から押し上げることにより折りたためる。
【符号の説明】
【００３１】    １  稜線
２  稜線連結部
３  側面
４  側面
５  手提げ部
６  手提げ穴
７  上蓋
８  穴
９  耳
１０  連続部
１１  切込部
１２  綴じ紐
１３  接着部
１４  接着部
１５  接着部
１６  接着部
１７  底部構成部材
１８  底部構成部材
１９  底部構成部材
２０  底部構成部材
２１  底部差込部材
２２  底部差込部材
【図１】
2010280443.tif 000003
【図２】
2010280443.tif 000004
【図３】
2010280443.tif 000005
【図４】
2010280443.tif 000006
【図５】
2010280443.tif 000007
【図６】
2010280443.tif 000008